(57)【要約】【課題】  安全かつ容易に設定できる無線通信システムを提供する。【解決手段】  第１の通信装置が予め記憶している接続設定情報を読み出してユーザに認識可能に提示し（ＳＴ４）、ユーザが第２の通信装置に接続設定情報を入力すると（ＳＴ９）、入力された接続設定情報を記憶するとともに第１の通信装置との接続処理を開始し（ＳＴ１１）、第１の通信装置で認証処理が行われ（ＳＴ１２）、共通の接続設定情報に基く方法でデータ通信を行う。【選択図】  図５
2007036733.tif 000002
【特許請求の範囲】
【請求項１】
所定のシステム情報を通信装置に設定することによって、所定の通信規格に従った通信を行うようになされた通信システムであって、
システム情報を設定して通信を可能にする通信制御手段と、上記通信制御手段により設定されたシステム情報に基づく通信を行う通信手段と、通信を行う際のシステム情報を記憶しているシステム情報記憶手段と、システム情報をユーザに認識可能に提示するシステム情報提示手段とからなる第１の通信装置と、
システム情報を設定して通信を可能にする通信制御手段と、上記通信制御手段により設定されたシステム情報に基づく通信を行う通信手段と、通信を行う際のシステム情報を記憶しているシステム情報記憶手段と、システム情報を入力するためのシステム情報入力手段とからなる第２の通信装置とを備え、
上記第１の通信装置は、上記システム情報記憶手段からシステム情報を読み出して上記システム情報提示手段によりユーザに認識可能に提示し、ユーザが上記第２の通信装置にシステム情報を入力されることにより上記第２の通信装置とシステム情報が共有し、共有されたシステム情報に基づき上記第２の通信装置と通信が開始され、
上記第２の通信装置は、上記システム情報入力手段によりシステム情報が入力されると、入力されたシステム情報をシステム情報記憶手段に記憶することで上記第１の通信装置とシステム情報を共有し、共有されたシステム情報に基づき上記第１の通信装置と通信が開始されること
を特徴とする通信システム。
【請求項２】
上記システム情報は、ネットワーク内で共通の当該ネットワークの識別情報及び通信時の暗号化に関する情報であることを特徴とする請求項１記載の通信システム。
【請求項３】
上記第１の通信装置は、上記第２の通信装置とシステム情報を共有した後に、上記通信制御手段により上記通信手段の送信信号の出力レベルを低下させるとともに受信信号の信号レベルが所定値よりも小さな受信データを破棄するように設定して、上記通信手段を通信可能状態とし、上記第２の通信装置から送信される新たなシステム情報を上記通信手段を介して受信し、新たなシステム情報に基づいて上記第２の通信装置との間で通信を行い、
上記第２の通信装置は、上記第１の通信装置とシステム情報を共有した後に、送信信号の出力レベルを低下させるとともに受信信号の信号レベルが所定値よりも小さな受信データを破棄するように設定して上記通信手段を通信可能状態とし、新たなシステム情報を上記通信手段を介して上記第１の通信装置へ送信し、上記新たなシステム情報に基づいて上記第１の通信装置と通信を行うこと
を特徴とする請求項１記載の通信システム。
【請求項４】
所定のシステム情報を設定することによって、所定の通信規格に従った通信を行うようになされた通信システムにおける通信装置であって、
システム情報を設定して通信を可能にする通信制御手段と、
システム情報に基づく通信を行う通信手段と、
システム情報を記憶しているシステム情報記憶手段と、
システム情報をユーザに認識可能に提示するシステム情報提示手段とを備え、
上記システム情報記憶手段からシステム情報を読み出して上記システム情報提示手段によりユーザに認識可能に提示し、上記他の通信装置とシステム情報を共有することで、共有されたシステム情報に基づき上記他の通信装置と通信を開始すること
を特徴とする通信装置。
【請求項５】
上記システム情報は、ネットワーク内で共通の当該ネットワークの識別情報及び通信時の暗号化に関する暗号化情報であることを特徴とする請求項４記載の通信装置。
【請求項６】
上記他の通信装置との間でシステム情報を共有した後に、送信信号の出力レベルを低下させるとともに受信信号の信号レベルが所定値よりも小さな受信データを破棄するように設定して上記通信手段を通信可能状態とし、上記他の通信装置から送信される新たなシステム情報を上記通信手段を介して受信し、新たなシステム情報に基づいて上記他の通信装置と通信を行うこと
を特徴とする請求項４記載の通信装置。
【請求項７】
所定のシステム情報を共通に設定することによって、所定の通信規格に従った通信を行うようになされた通信システムにおいて、システム情報を提示するシステム情報提示手段を備える他の通信装置との間で通信を行う通信装置であって、
システム情報を設定して通信を可能にする通信制御手段と、
システム情報に基づく通信を行う通信手段と、
システム情報を記憶しているシステム情報記憶手段と、
システム情報を入力するためのシステム情報入力手段とを備え、
上記システム情報入力手段によりシステム情報が入力されると、入力されたシステム情報をシステム情報記憶手段に記憶して、上記他の通信装置とシステム情報を共有し、共有されたシステム情報に基づき上記他の通信装置と通信を開始すること
を特徴とする通信装置。
【請求項８】
上記システム情報は、ネットワーク内で共通の当該ネットワークの識別情報及び通信時の暗号化に関する暗号化情報であることを特徴とする請求項７記載の通信装置。
【請求項９】
他の通信装置とシステム情報が共有された後に、送信信号の出力レベルを低下させるとともに受信信号の信号レベルが所定値よりも小さな受信データを破棄するように設定して上記通信手段を通信可能状態とし、新たなシステム情報を上記他の通信装置へ送信し、新たなシステム情報に基づいて上記第１の通信装置と通信を開始されること
を特徴とする請求項７記載の通信装置。
【請求項１０】
所定のシステム情報を設定することによって、所定の通信規格に従った通信を行うようになされた通信システムにおける通信方法であって、
第１の通信装置は、予め記憶しているシステム情報を読み出してユーザに認識可能に提示し、ユーザによって第２の通信装置にシステム情報を入力されることにより上記第２の通信装置とシステム情報が共有し、上記第２の通信装置とシステム情報に基づく通信が開始され、
上記第２の通信装置は、システム情報が入力されると、入力されたシステム情報を記憶し、上記第１の通信装置と共有されたシステム情報に基づいて上記第２の通信装置と通信を行うこと
を特徴とする通信方法。
【請求項１１】
上記システム情報は、ネットワーク内で共通の当該ネットワークの識別情報及び通信時の暗号化に関する暗号化情報であることを特徴とする請求項１０記載の通信方法。
【請求項１２】
上記第１の通信装置は、上記第２の通信装置との間でシステム情報が共有された後に、上記通信制御手段により送信信号の出力レベルを低下させるとともに受信信号の信号レベルが所定値よりも小さな受信データを破棄するように設定して、上記通信手段を通信可能状態とし、上記第２の通信装置が送信する新たなシステム情報を受信することで、上記新たなシステム情報に基づいて上記第２の通信装置と通信が開始され、
上記第２の通信装置は、上記第１の通信装置とシステム情報が共有された後に、送信信号の出力レベルを低下させるとともに受信信号の信号レベルが所定値よりも小さな受信データを破棄するように設定して、上記通信手段を通信可能状態とし、上記第１の通信装置へ新たなシステム情報を送信することにより、上記新たなシステム情報に基づいて上記第２の通信装置と通信が開始されること
を特徴とする請求項１０記載の通信方法。
【請求項１３】
所定のシステム情報を共通に設定することによって、所定の通信規格に従った通信を行うようになされた通信システムにおける通信装置の通信制御方法であって、
予め記憶しているシステム情報を読み出してユーザに認識可能に提示し、他の通信装置とシステム情報を共有することで、共有されたシステム情報に基づき上記他の通信装置と通信を行うこと
を特徴とする通信制御方法。
【請求項１４】
上記システム情報は、ネットワーク内で共通の当該ネットワークの識別情報及び通信時の暗号化に関する暗号化情報であることを特徴とする請求項１３記載の通信方法。
【請求項１５】
上記他の通信装置との間でシステム情報が共有された後に、送信信号の出力レベルを低下させるとともに受信信号の信号レベルが所定値よりも小さな受信データを破棄するように設定し、上記他の通信装置から新たなシステム情報を受信し、新たなシステム情報に基づき上記他の通信装置と通信を行うこと
を特徴とする請求項１３記載の通信制御方法。
【請求項１６】
所定のシステム情報を設定することによって、所定の通信規格に従った通信を行うようになされた通信システムにおけるシステム情報提示手段を備える他の通信装置との間で通信を行う通信装置の通信制御方法であって、
システム情報が入力されると、システム情報が上記他の通信装置と共有され、共有されたシステム情報に基づき上記他の通信装置と通信を行うこと
を特徴とする通信制御方法。
【請求項１７】
上記システム情報は、ネットワーク内で共通の当該ネットワークの識別情報及び通信時の暗号化に関する暗号化情報であることを特徴とする請求項１６記載の通信制御方法。
【請求項１８】
上記他の通信装置との間でシステム情報が共有された後に、送信信号の出力レベルを低下させるとともに受信信号の信号レベルが所定値よりも小さな受信データを破棄するように設定して、上記通信手段を通信可能状態とし、上記他の通信装置に新たなシステム情報を送信して、上記新たなシステム情報に基づいて上記他の通信装置と通信を行うこと
を特徴とする請求項１６記載の通信制御方法。
【請求項１９】
所定のシステム情報を設定することによって、所定の通信規格に従った通信を行うようになされた通信システムにおける通信装置に搭載されるコンピュータにより実行される通信制御プログラムであって、
予め記憶しているシステム情報を読み出してユーザに認識可能に提示し、ユーザによって他の通信装置にシステム情報を入力されることにより上記他の通信装置とシステム情報を共有し、共有されたシステム情報に基づき上記他の通信装置と通信を行う通信制御をコンピュータにより実行させることを特徴とする通信制御プログラム。
【請求項２０】
上記システム情報は、ネットワーク内で共通の当該ネットワークの識別情報及び通信時の暗号化に関する暗号化情報であることを特徴とする請求項１９記載の通信制御プログラム。
【請求項２１】
上記他の通信装置とシステム情報が共有された後に、送信信号の出力レベルを低下させるとともに受信信号の信号レベルが所定値よりも小さな受信データを破棄するように設定し、上記他の通信装置から上記他の通信装置との間で通信を行う通信制御をコンピュータにより実行させること
を特徴とする請求項１９記載の通信制御プログラム。
【請求項２２】
所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムであって、
システム情報が入力されると、入力されたシステム情報を記憶して、上記他の通信装置とシステム情報が共有され、共有されたシステム情報に基づき上記他の通信装置と通信を開始する通信制御をコンピュータにより実行させること
を特徴とする通信制御プログラム。
【請求項２３】
上記システム情報は、ネットワーク内で共通の当該ネットワークの識別情報及び通信時の暗号化に関する暗号化情報であることを特徴とする請求項２２記載の通信制御プログラム。
【請求項２４】
上記他の通信装置とシステム情報が共有された後に、送信信号の出力レベルを低下させるとともに受信信号の信号レベルが所定値よりも小さな受信データを破棄するように設定して、上記通信手段を通信可能状態とし、上記他の通信装置に新たなシステム情報を送信し、上記新たなシステム情報に基づいて上記他の通信装置との間で通信を行う通信制御をコンピュータにより実行させること
を特徴とする請求項２２記載の通信制御プログラム。
【請求項２５】
所定のシステム情報を設定することによって、所定の通信規格に従った通信を行うようになされた通信システムにおける通信装置に搭載されるコンピュータにより実行される通信制御プログラムを記憶したプログラム記憶媒体であって、
予め記憶しているシステム情報を読み出してユーザに認識可能に提示し、ユーザによって上記他の通信装置にシステム情報を入力されることによりシステム情報が共有され、共有されたシステム情報に基づいて上記他の通信装置との間で通信を行う通信制御プログラムをコンピュータにより読み取り実行可能に記憶したこと
を特徴とするプログラム記憶媒体。
【請求項２６】
上記システム情報は、ネットワーク内で共通の当該ネットワークの識別情報及び通信時の暗号化に関する暗号化情報であることを特徴とする請求項２５記載のプログラム記憶媒体。
【請求項２７】
上記他の通信装置とシステム情報が共有された後に、送信信号の出力レベルを低下させるとともに受信信号の信号レベルが所定値よりも小さな受信データを破棄するように設定して、上記通信手段を通信可能状態とし、上記他の通信装置から新たなシステム情報を受信し、上記新たなシステム情報に基づいて上記他の通信装置と通信を行う通信制御プログラムをコンピュータにより読み取り実行可能に記憶したこと
を特徴とする請求項２５記載のプログラム記憶媒体。
【請求項２８】
所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムであって、
システム情報が入力されると、入力されたシステム情報を記憶するとともに送信して、上記他の通信装置が上記システム情報に基づき認証処理を行うことで通信を開始する通信制御プログラムをコンピュータにより読み取り実行可能に記憶したこと
を特徴とするプログラム記憶媒体。
【請求項２９】
上記システム情報は、ネットワーク内で共通の当該ネットワークの識別情報及び通信時の暗号化に関する暗号化情報であることを特徴とする請求項２８記載のプログラム記憶媒体。
【請求項３０】
上記他の通信装置との間で通信が開始された後に、送信信号の出力レベルを低下させるとともに受信信号の信号レベルが所定値よりも小さな受信データを破棄するように設定して、上記通信手段を通信可能とし、新たなシステム情報を上記他の通信装置へ送信して、上記新たなシステム情報に基づいて上記他の通信装置と通信を行う通信制御プログラムをコンピュータにより読み取り実行可能に記憶したこと
を特徴とする請求項２８記載のプログラム記憶媒体。
【発明の詳細な説明】
【技術分野】
【０００１】
本発明は、複数の通信装置間で無線通信を行う通信システム、通信装置、通信方法、通信制御方法、通信制御プログラム、及びプログラム記憶媒体に関する。
【背景技術】
【０００２】
近年、複数の情報処理端末で通信を行う際に、無線ＬＡＮ（Local Area Network）通信手段を用いるものがある。このような無線ＬＡＮ通信手段を用いる際に、通信する無線ＬＡＮを特定するための識別情報設定、接続開始時に認証を行って、以降のデータ通信を暗号化するためのセキュリティ情報設定が必要であり、セキュリティ方式に関してはＩＥＥＥ８０２．１１規格であるＷＥＲ（Wired Equivalent Privacy）、またはＩＥＥＥ８０２．１１ｉ規格である事前共通鍵方式など様々なセキュリティ方式の規格が従来から用いられている。
【０００３】
【特許文献１】特開２００１−３５８９６６号公報
【発明の開示】
【発明が解決しようとする課題】
【０００４】
無線通信は、電波を使用するため通信範囲を限定することが困難であり、高性能なアンテナと無線装置を用いられた場合、物理的に離れた場所から悪意をもった第３者に不正に無線通信を傍受される危険性がある。このような通信の傍受から不正にアクセスされるのを阻止するため、無線ＬＡＮ通信は従来、ＩＥＥＥ８０２．１１規格であるＷＥＰ（Wired Equivalent Privacy）方式、またはＩＥＥＥ８０２．１１ｉ規格である事前共有鍵方式などの規格化されたセキュリティ方式が用いられている。しかし、このような認証及び暗号方式のアルゴリズムは、悪意をもった第３者に破られる場合もあり、通信データが不正にアクセスされるという危険がある。
【０００５】
また、これらのセキュリティ方式は、無線ＬＡＮ通信を開始する前に、ユーザが予め認証・暗号化に必要な情報を、無線通信を行う双方の情報処理端末に設定しておく必要がある。さらに、通信する無線ＬＡＮを識別するためのＳＳＩＤ（Service Set Identifier）情報を双方の情報処理端末に設定しておく必要がある。よってこれらの設定を行うためには、ユーザへ必要な情報をネットワーク管理者が書類またはインターネット回線等で事前に通知しておかなければならないので、大変不便である。そこで、この不便さを解消するために、より簡単な情報設定方法が期待される。
【０００６】
本発明は、このような上述した実情に鑑みて提案されたものであり、立ち入る人物が限定されている場所において、ユーザが安全且つ容易に通信接続設定を行うことができる通信システム、通信装置、通信方法、通信制御方法、通信制御プログラム、及びプログラム記憶媒体を提供することを目的とする。
【課題を解決するための手段】
【０００７】
上述した目的を達成するために、本発明に係る通信システムは、所定のシステム情報を通信装置に設定することによって、所定の通信規格に従った通信を行うようになされた通信システムであって、システム情報を設定して通信を可能にする通信制御手段と、上記通信制御手段により設定されたシステム情報に基づく通信を行う通信手段と、通信を行う際のシステム情報を記憶しているシステム情報記憶手段と、システム情報をユーザに認識可能に提示するシステム情報提示手段とからなる第１の通信装置と、システム情報を設定して通信を可能にする通信制御手段と、上記通信制御手段により設定されたシステム情報に基づく通信を行う通信手段と、通信を行う際のシステム情報を記憶しているシステム情報記憶手段と、システム情報を入力するためのシステム情報入力手段とからなる第２の通信装置とを備え、上記第１の通信装置は、上記システム情報記憶手段からシステム情報を読み出して上記システム情報提示手段によりユーザに認識可能に提示し、ユーザが上記第２の通信装置にシステム情報を入力されることにより上記第２の通信装置とシステム情報が共有し、共有されたシステム情報に基づき上記第２の通信装置と通信が開始され、上記第２の通信装置は、上記システム情報入力手段によりシステム情報が入力されると、入力されたシステム情報をシステム情報記憶手段に記憶することで上記第１の通信装置とシステム情報を共有し、共有されたシステム情報に基づき上記第１の通信装置と通信が開始されることを特徴とする。
【０００８】
また、本発明に係る通信装置は、所定のシステム情報を設定することによって、所定の通信規格に従った通信を行うようになされた通信システムにおける通信装置であって、システム情報を設定して通信を可能にする通信制御手段と、システム情報に基づく通信を行う通信手段と、システム情報を記憶しているシステム情報記憶手段と、システム情報をユーザに認識可能に提示するシステム情報提示手段とを備え、上記システム情報記憶手段からシステム情報を読み出して上記システム情報提示手段によりユーザに認識可能に提示し、上記他の通信装置とシステム情報を共有することで、共有されたシステム情報に基づき上記他の通信装置と通信を開始することを特徴とする。
【０００９】
また、本発明に係る通信装置は、所定のシステム情報を共通に設定することによって、所定の通信規格に従った通信を行うようになされた通信システムにおいて、システム情報を提示するシステム情報提示手段を備える他の通信装置との間で通信を行う通信装置であって、システム情報を設定して通信を可能にする通信制御手段と、システム情報に基づく通信を行う通信手段と、システム情報を記憶しているシステム情報記憶手段と、システム情報を入力するためのシステム情報入力手段とを備え、上記システム情報入力手段によりシステム情報が入力されると、入力されたシステム情報をシステム情報記憶手段に記憶して、上記他の通信装置とシステム情報を共有し、共有されたシステム情報に基づき上記他の通信装置と通信を開始することを特徴とする。
【００１０】
また、本発明に係る通信方法は、所定のシステム情報を設定することによって、所定の通信規格に従った通信を行うようになされた通信システムにおける通信方法であって、第１の通信装置は、予め記憶しているシステム情報を読み出してユーザに認識可能に提示し、ユーザによって第２の通信装置にシステム情報を入力されることにより上記第２の通信装置とシステム情報が共有し、上記第２の通信装置とシステム情報に基づく通信が開始され、上記第２の通信装置は、システム情報が入力されると、入力されたシステム情報を記憶し、上記第１の通信装置と共有されたシステム情報に基づいて上記第２の通信装置と通信を行うことを特徴とする。
【００１１】
また、本発明に係る通信制御方法は、所定のシステム情報を共通に設定することによって、所定の通信規格に従った通信を行うようになされた通信システムにおける通信装置の通信制御方法であって、予め記憶しているシステム情報を読み出してユーザに認識可能に提示し、他の通信装置とシステム情報を共有することで、共有されたシステム情報に基づき上記他の通信装置と通信を行うことを特徴とする。
【００１２】
また、本発明に係る通信制御方法は、所定のシステム情報を設定することによって、所定の通信規格に従った通信を行うようになされた通信システムにおけるシステム情報提示手段を備える他の通信装置との間で通信を行う通信装置の通信制御方法であって、システム情報が入力されると、システム情報が上記他の通信装置と共有され、共有されたシステム情報に基づき上記他の通信装置と通信を行うことを特徴とする。
【００１３】
また、本発明に係る通信制御プログラムは、所定のシステム情報を設定することによって、所定の通信規格に従った通信を行うようになされた通信システムにおける通信装置に搭載されるコンピュータにより実行される通信制御プログラムであって、予め記憶しているシステム情報を読み出してユーザに認識可能に提示し、ユーザによって他の通信装置にシステム情報を入力されることにより上記他の通信装置とシステム情報を共有し、共有されたシステム情報に基づき上記他の通信装置と通信を行う通信制御をコンピュータにより実行させることを特徴とする。
【００１４】
また、本発明に係る通信制御プログラムは、所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムであって、システム情報が入力されると、入力されたシステム情報を記憶して、上記他の通信装置とシステム情報が共有され、共有されたシステム情報に基づき上記他の通信装置と通信を開始する通信制御をコンピュータにより実行させることを特徴とする。
【００１５】
また、本発明に係るプログラム記憶媒体は、所定のシステム情報を設定することによって、所定の通信規格に従った通信を行うようになされた通信システムにおける通信装置に搭載されるコンピュータにより実行される通信制御プログラムを記憶したプログラム記憶媒体であって、予め記憶しているシステム情報を読み出してユーザに認識可能に提示し、ユーザによって上記他の通信装置にシステム情報を入力されることによりシステム情報が共有され、共有されたシステム情報に基づいて上記他の通信装置との間で通信を行う通信制御プログラムをコンピュータにより読み取り実行可能に記憶したことを特徴とする。
【００１６】
また、本発明に係るプログラム記憶媒体は、所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムであって、システム情報が入力されると、入力されたシステム情報を記憶するとともに送信して、上記他の通信装置が上記システム情報に基づき認証処理を行うことで通信を開始する通信制御プログラムをコンピュータにより読み取り実行可能に記憶したことを特徴とする。
【発明の効果】
【００１７】
本発明に係る無線通信システムは、第１の通信装置が接続設定情報をユーザに通知し、上記接続設定情報をユーザが第２の通信装置に入力することにより通信設定が行われる。立ち入る人物が限定されている場所に通信装置が設置されている場合、接続設定情報がユーザに提示される範囲は限定されているので、ユーザは安全に接続設定を行うことができる。
【００１８】
また、従来の書類またはインターネット回線等による接続設定情報の提供に対して、通信装置が備える接続設定情報提示手段によりユーザに接続設定情報が提示されるので、ユーザは、より簡単に接続設定を行うことができる。
【発明を実施するための最良の形態】
【００１９】
以下、本発明を適用した無線ＬＡＮシステムについて、図面を参照しながら詳細に説明する。
【００２０】
図１は、本発明を適用した第１の実施形態の無線ＬＡＮシステム１を示した構成図である。
【００２１】
無線ＬＡＮシステム１は、図１に示すように、無線ＬＡＮ通信手段をもつ通信装置であるベース部２と、ベース部２と無線通信手段を介して通信し、その通信データである画像データを表示するモニタ部３とから構成される。
【００２２】
なお、本実施形態では、ベース部２から画像データをモニタ部３へ送信し、モニタ部３はその画像データを表示する場合を考えているが、このような形態に限らず、音声データを通信する場合でもよく、モニタ部３とスピーカとを組み合わせて無線ＬＡＮ通信システムを構成するようにしてもよい。
【００２３】
次に、ベース部２の構成について図２を用いて説明する。
【００２４】
ベース部２は、図２に示すように、所定の演算処理を行うＣＰＵ（Central Processing Unit）１０と、各種制御プログラム等を記憶保持するＲＯＭ（Random Only Memory）１１と、ＣＰＵ１０のワークメモリとしてのＲＡＭ（Random Access Memory）１２と、予め定められた無線ＬＡＮシステム情報を記憶するフラッシュＲＯＭ１３と、外部と通信を行う無線ＬＡＮ通信部１４と、ベース部２全体の電源のオン／オフを制御する電源制御部１５と、電源制御部１５にオン／オフ信号を入力する電源キー１６と、ベース部２の所定位置に配置された設定キー１７の状態を検出するキー状態検出部１８と、無線ＬＡＮシステムのＳＳＩＤと認証・暗号設定に関する無線ＬＡＮシステム情報等をユーザに対して表示するＬＣＤ（Liquid Crystal Display）１９と、ＬＣＤ１９の表示を制御する表示制御部２０とを有し、これらがバス２１を介して相互に接続されている。
【００２５】
ＣＰＵ１０は、無線ＬＡＮ通信部１４から与えられるモニタ部３からの各種制御命令及び各種データまたは、ＲＯＭ１１に格納された各種プログラムに基づいて各種制御処理を実行する。
【００２６】
無線ＬＡＮ通信部１４は、設定された無線ＬＡＮシステム情報を用いてモニタ部３との間で通信が開始され、モニタ部３から送信された各種制御命令または各種データを、無線ＬＡＮ通信部１４に接続されているアンテナ２２を介して受信すると、バス２１を介してＣＰＵ１０に送出する。
【００２７】
電源制御部１５は、ベース部２の所定位置に配置された電源キー１６がユーザによって押圧操作されると、図示しない電源回路を制御して各回路に対する駆動電流の供給を開始または停止させることにより、ベース部２全体の電源をオン／オフさせる。
【００２８】
キー状態検出部１８は、設定キー１７の状態を常時監視し、該当設定キー１７がユーザによって押圧操作されると、この操作をＣＰＵ１０に通知する。この操作がＣＰＵ１０に通知されると、ＣＰＵ１０はＲＯＭ１１に格納された無線ＬＡＮシステム情報設定プログラムを読み出し、この無線ＬＡＮシステム情報設定プログラムに記述された命令に従って無線ＬＡＮシステム情報を無線ＬＡＮ通信部１４に設定する。
【００２９】
次に、モニタ部３の構成について図３を用いて説明する。
【００３０】
モニタ部３は、図３に示すように、所定の演算処理を行うＣＰＵ３０と、各種制御プログラム等を格納するＲＯＭ３１と、ＣＰＵ３０のワークメモリとしてのＲＡＭ３２と、モニタ部３について予め定められた無線ＬＡＮシステム情報を記憶するフラッシュＲＯＭ３３と、外部と通信を行う無線ＬＡＮ通信部３４と、モニタ部３全体の電源のオン／オフを制御する電源制御部３５と、電源制御部３５にオン／オフ信号を入力する電源キー３６と、ＬＣＤ（Liquid Crystal Display）３７を制御する表示制御部３８と、ＬＣＤ３７に配設されたタッチパネル３９と、ユーザがタッチパネル３９を操作して得られた座標位置を検出する座標検出部４０とを有し、これらがバス４１を介して相互に接続されることにより構成されている。
【００３１】
ＣＰＵ３０は、無線通信部３４にベース部２の無線ＬＡＮシステム情報が設定されていない状態で、例えばＲＯＭ３１に格納された各種制御プログラムに基づく画像データを表示制御部３８に与えることにより、無線ＬＡＮシステム情報設定用の所定のＧＵＩ（Graphical User Interface）画面をＬＣＤ３７に表示させる。
【００３２】
ＬＣＤ３７にＧＵＩ画面が表示されると、ＣＰＵ３０は、無線ＬＡＮシステムを設定すべき旨の入力があったことを座標検出部４０の検出結果に基づいて認識して、ＲＯＭ３１に格納された無線ＬＡＮシステム情報設定プログラムを読み出し、この無線ＬＡＮシステム情報設定プログラムに記述された命令に従って、無線ＬＡＮシステム情報を無線ＬＡＮ通信部３４に設定する。
【００３３】
電源制御部３５は、モニタ部３の所定位置に配設された電源キー３６がユーザによって押圧操作されたか否かを常時監視し、該当電源キー３６が押圧操作されると、電源回路を制御して各回路に対する駆動電流の供給を開始または停止させることにより、モニタ部３の電源をオン／オフさせる。
【００３４】
無線ＬＡＮ通信部３４は、設定された無線ＬＡＮシステム情報を用いてベース部２から送信された各種制御命令を、無線ＬＡＮ通信部３４に接続されているアンテナ４２を介して受信した場合には、バス４１を介してＣＰＵ３０に送出する。
【００３５】
次に、ベース部２における無線ＬＡＮ通信部１４の具体的構成を図４に示す。
【００３６】
無線ＬＡＮ通信部１４は、図４に示すように、ＲＦ（Radio Frequency）／ＩＦ（Intermediate Frequency）処理部５０と、ベースバンド処理部５１と、ＭＡＣ（Media Access Control）処理部５２から構成されている。
【００３７】
まず、無線ＬＡＮ通信部１４の送信処理について説明をする。ＭＡＣ処理部５２は、バス２１を介して与えられる各種データに対し、該当無線ＬＡＮシステム情報に含まれる暗号化情報に従った暗号化処理、フレームフォーマットの変換、送出タイミング制御などの所定のＭＡＣ処理を施し、得られたフレームデータＤ１をベースバンド処理部５１に送出する。
【００３８】
ベースバンド処理部５１は、供給されるフレームデータＤ１をＩＱ信号Ｓ１０に変調し、ＩＱ信号Ｓ１０をＲＦ／ＩＦ処理部５０に送出する。
【００３９】
ＲＦ／ＩＦ処理部５０は、ベースバンド処理部５１から与えられるＩＱ信号Ｓ１０を中間周波（ＩＦ）信号に変換し、さらに高周波（ＲＦ）信号にアップコンバートし、このＲＦ信号Ｓ１１を増幅処理し、アンテナ２２を介して、通信相手のモニタ部３へ送信する。
【００４０】
次に、無線ＬＡＮ通信部１４の受信処理について説明をする。アンテナ２２が、通信相手のモニタ部３から送信信号を受信すると、ＲＦ／ＩＦ処理部５０は、受信した高周波信号Ｓ１２を中間周波信号にダウンコンバートするとともに、この中間周波信号をさらにＩＱ信号Ｓ１３に変換してベースバンド処理部５１に送出する。
【００４１】
ベースバンド処理部５１は、ＲＦ／ＩＦ処理部５０から与えられるＩＱ信号Ｓ１３を復調し、得られたフレームデータＤ２をＭＡＣ処理部５２へ送出する。
【００４２】
ＭＡＣ処理部５２は、ベースバンド処理部５１から与えられるフレームデータＤ２を当該無線通信システム情報に含まれる暗号化情報に従って復号して、必要なデータを抽出し、バス２２を介して、ＣＰＵ１０などの対応するブロックに送出する。
【００４３】
ここで、モニタ部３における無線ＬＡＮ通信部３４は、ベース部２における無線ＬＡＮ通信部１４と同様の送受信処理を行う。
【００４４】
次にこの無線ＬＡＮシステム１のベース部２及びモニタ部３における無線ＬＡＮシステムの設定処理について、図５を参照して説明する。この無線ＬＡＮシステム１は、ベース部２の設定キー１７を押圧操作するとともにモニタ部３のＬＣＤ３７に所定のＧＵＩを表示させてタッチパネル３９を操作することによって、ベース部２とモニタ部３との間で通信を行う。無線ＬＡＮシステム情報を共有して、無線ＬＡＮ通信部１４及び無線ＬＡＮ通信部３４にそれぞれ設定する無線ＬＡＮ情報設定機能は、ベース部２及びモニタ部３にそれぞれ搭載されている。なお、図５のフロー図は、左側が無線ＬＡＮシステム情報設定プログラムの記述に応じたベース部２の動作の時間的な流れを示し、中央がユーザの操作の時間的な流れを示し、右側が無線ＬＡＮシステム情報設定プログラムの記述に応じたモニタ部３の動作の時間的な流れを示している。
【００４５】
ステップＳＴ１において、ユーザは、ベース部３の設定キー１７を押圧操作する。
【００４６】
ステップＳＴ２において、ユーザがベース部３の設定キー１７を押圧操作すると、ＣＰＵ１０は、ＲＯＭ１１から無線ＬＡＮシステム情報設定プログラムを読み出し、これをＲＡＭ１２に展開する。
【００４７】
ステップＳＴ３において、無線ＬＡＮシステム情報設定プログラムがＲＡＭ１２に展開されると、ＣＰＵ１０は、無線ＬＡＮ通信部１４から暗号化情報などの設定に関するシステム情報を取得する。
【００４８】
ステップＳＴ４において、システム情報を取得すると、ＣＰＵ１０は、無線ＬＡＮシステム情報設定プログラムに記述された命令に従い、システム情報をＬＣＤ１９に表示させる。
【００４９】
ステップＳＴ５において、システム情報がＬＣＤ１９に表示されると、ユーザは、システム情報を読み取る。
【００５０】
なお、ユーザに対してシステム情報を認識させる方法は、ＬＣＤ１９による表示に限らず、スピーカによる音声などを用いるようにしてもよい。
【００５１】
ステップＳＴ６において、ユーザは、モニタ部３が無線ＬＡＮシステム情報設定プログラムを起動するためにタッチパネル３９を操作する。
【００５２】
ステップＳＴ７において、ユーザがタッチパネル３９を操作すると、ＣＰＵ３０は、ＲＯＭ１１から無線ＬＡＮシステム情報設定プログラムを読み出し、これをＲＡＭ１２に展開する。
【００５３】
ステップＳＴ８において、モニタ部３が無線ＬＡＮシステム情報設定プログラムを起動すると、モニタ部３のＣＰＵ３０は、無線ＬＡＮシステム情報設定プログラムに記述された命令に従い、表示制御部３８に対して、ユーザがシステム情報を入力するための画面を表示させる。
【００５４】
ステップＳＴ９において、ユーザは、ＬＣＤ１９から読み取ったシステム情報を、タッチパネル３９の入力手段を用いて、ＬＣＤ３７の入力画面に従って入力する。
【００５５】
ステップＳＴ１０において、ユーザによりモニタ部３にシステム情報が入力されると、ＣＰＵ３０は、無線ＬＡＮシステム設定プログラムに記述された命令に従い、システム情報を無線ＬＡＮ通信部３４のＭＡＣ処理部５２に設定する。
【００５６】
ステップＳＴ１１において、システム情報が無線ＬＡＮ通信部３４に設定されると、ＣＰＵ３０は、無線ＬＡＮシステム設定プログラムに記述された命令に従い、ベース部２を探知し、ベース部２と通信を開始する。
【００５７】
このように、立ち入る人物が限定されている場所に通信装置が設置されている場合、システム情報がユーザに提示される範囲は限定されているので、ユーザは安全に通信設定を行うことができる。また、無線ＬＡＮシステム１は、ベース部２とモニタ部３との間の認証処理と所定のシステム情報の設定とを同時に行うことができる。
【００５８】
ステップＳＴ１２において、ベース部２とモニタ部３との間で通信が開始されると、ベース部２のＣＰＵ１０は、無線ＬＡＮシステム情報設定プログラムに記述された命令に従い、システム情報が表示されているＬＣＤ１９の画面を消去させる。なお、所定の時間を経過してもモニタ部３からシステム情報が送信されなかった場合、第三者に表示されているシステム情報を見られるのを防止するため、ＣＰＵ１０は、システム情報が表示されているＬＣＤ１９の画面を消去させる。
【００５９】
ステップＳＴ１３において、モニタ部３のＣＰＵ３０は、無線ＬＡＮシステム情報設定プログラムに記述された命令に従い、フラッシュＲＯＭ３３にシステム情報を保存させる。
【００６０】
フラッシュＲＯＭ３３にシステム情報させることにより、モニタ部３が再起動された場合も、接続を確立するためのシステム情報がフラッシュＲＯＭに保持されているので、無線ＬＡＮシステム１は、繰り返し接続に関する設定操作を行わなくても無線通信を開始することができる。
【００６１】
このように、ベース部２のＬＣＤ１９が表示するシステム情報をユーザが認知し、ユーザがモニタ部３に入力することにより、安全且つ容易に無線ＬＡＮシステム１の設定を行うことができる。
【００６２】
次に、本発明を適用した第２の実施形態の無線ＬＡＮシステムについて説明する。
【００６３】
第２の実施形態の無線ＬＡＮシステムは、第１の実施形態と同様に、無線ＬＡＮ通信手段をもつ通信装置であるベース部２と、ベース部２と無線通信手段を介して通信するモニタ部３とから構成される。
【００６４】
第２の実施形態におけるベース部２は、図６に示すように、第１の実施形態におけるベース部２と同様の機能を有するものについては説明を省略する。送信出力制御部２３は、第１の実施形態におけるベース部２にはないものであり、バス２１と無線ＬＡＮ通信部１４とを介すように接続されており、無線ＬＡＮ通信部１４が行う通信における送信出力の制御を行う。
【００６５】
次に、モニタ部３の構成について図７を用いて説明する。
【００６６】
モニタ部３は、図７に示すように、第１の実施形態におけるモニタ部３と同様の機能を有するものがある。これらの説明については省略する。送信出力制御部４３は、第１の実施形態におけるモニタ部３にはないものであり、バス４１と無線ＬＡＮ通信部１４と介すように接続されており、無線ＬＡＮ通信部１４が行う通信における送信出力の制御を行う。
【００６７】
次に、ベース部２の無線ＬＡＮ通信部１４の具体的構成を図８に示す。
【００６８】
無線ＬＡＮ通信部１４は、図８に示すように、ＲＦ（Radio Frequency）／ＩＦ（Intermediate Frequency）処理部５０と、ベースバンド処理部５１と、ＭＡＣ（Media Access Control）処理部５２から構成されている。
【００６９】
まず、送信処理について説明する。ＭＡＣ処理部５２は、バス２２を介して与えられる各種データに対し、該当無線ＬＡＮシステム情報に含まれる暗号化情報に従った暗号化処理フレームフォーマットへの変換、送出タイミング制御などの所定のＭＡＣ処理５２を施し、得られたフレームデータＤ１をベースバンド処理部５１に送出する。
【００７０】
ベースバンド処理部５１は、供給されるフレームデータＤ１をＩＱ信号Ｓ１０に変調し、これをＲＦ／ＩＦ処理部５０に送出する。またベースバンド処理部５１は、ＭＡＣ処理部５２に設定されている送信出力レベルの設定値に応じた送信出力制御信号Ｓ１１をＲＦ／ＩＦ処理部５０に送出することにより、当該ＲＦ／ＩＦ処理部５０内の図示しない増幅器のゲインを当該設定値に応じた値に設定する。
【００７１】
ＲＦ／ＩＦ処理部５０は、ベースバンド処理部５１から与えられるＩＱ信号Ｓ１０を中間周波（ＩＦ）信号に変換し、さらに高周波（ＲＦ）信号にアップコンバートし、このＲＦ信号Ｓ１２を増幅処理し、アンテナ２３を介して、通信相手のモニタ部３またはベース部２に送信する。
【００７２】
次に、受信処理について説明する。アンテナ２３が、通信相手のモニタ部３またはベース部２から送信された信号を受信する。ＲＦ／ＩＦ処理部５０は、受信した高周波信号Ｓ１３を中間周波信号にダウンコンバートするとともに、この中間周波信号をさらにＩＱ信号Ｓ１４に変換してベースバンド処理部５１に送出する。またＲＦ／ＩＦ処理部５０は、図示しない内部の検波回路における検出結果を検波信号Ｓ１５としてベースバンド処理部５１に送出する。
【００７３】
ベースバンド処理部５１は、ＲＦ／ＩＦ処理部５０から与えられるＩＱ信号Ｓ１４を復調し、得られたフレームデータＤ２をＭＡＣ処理部５２へ送出するとともに、このときＲＦ／ＩＦ処理部５０から与えられる検波信号Ｓ１５に基づいて受信信号（すなわち受信した高周波信号）の強度を表すＲＳＳＩ（Received Signal Strength Indicator）値を検出し、検出結果をＲＳＳＩ値情報Ｄ３としてＭＡＣ処理部５２に送出する。
【００７４】
ＭＡＣ処理部５２は、ベースバンド処理部５１から与えられるフレームデータＤ２を当該無線通信システム情報に含まれる暗号化情報に従って復号して、必要なデータを抽出し、これを、バス２２を介して、ＣＰＵ１０などの対応するブロックに送出する。この際、無線ＬＡＮ通信部１４は、ＲＳＳＩ値情報Ｄ３に基づき認識される受信信号のＲＳＳＩ値がＣＰＵ１０またはＣＰＵ３０により予め設定された所定の値よりも小さいときに、そのフレームデータＤ２を破棄する。
【００７５】
このように無線ＬＡＮ通信部１４は、必要に応じて信号レベルの低いフレームデータを破棄しながら、通信相手と規格に応じた通信を行えるようになっている。
【００７６】
なお、モニタ部３の無線ＬＡＮ通信部３４は、上述した無線ＬＡＮ通信部１４と同様の送信処理及び受信処理を行う。
【００７７】
次にこの無線ＬＡＮシステム１のベース部２及びモニタ部３における無線ＬＡＮシステムの設定処理について、図９と図１０とを参照して説明する。
【００７８】
この無線ＬＡＮシステム１は、ベース部２の設定キー１７を押圧操作するとともにモニタ部３のＬＣＤ３７に所定のＧＵＩを表示させてタッチパネル３９を操作することによって、ベース部２とモニタ部３との間で通信を行う。無線ＬＡＮシステム情報を共有して、無線ＬＡＮ通信部１４及び無線ＬＡＮ通信部３４にそれぞれ設定する無線ＬＡＮ情報設定機能は、ベース部２及びモニタ部３にそれぞれ搭載されている。なお、図９と図１０とのフロー図は、左側が無線ＬＡＮシステム情報設定プログラムの記述に応じたベース部２の動作の時間的な流れを示し、中央がユーザの操作の時間的な流れを示し、右側が無線ＬＡＮシステム情報設定プログラムの記述に応じたモニタ部３の動作の時間的な流れを示している。
【００７９】
図９におけるステップＳＴ２１からステップＳＴ３０において、無線ＬＡＮシステム１は、無線ＬＡＮシステム情報設定プログラムに記述された命令に従い、第１の実施形態で示した設定処理と同様の処理が行われるので、説明を省略する。ただし、第１の実施形態が上述した処理により認証と通信の接続が完了した後に実質的なデータの通信が開始されるのに対して、第２の実施形態における無線ＬＡＮシステムの設定処理は、図１０に示すステップＳＴ３１からステップ３６までの処理を行うことで、ベース部２とモニタ部３との間でデータ通信が開始される。
【００８０】
ステップＳＴ３１において、ベース部２の無線ＬＡＮ通信部１４の通信設定を行う。同様に、ステップＳＴ３２において、モニタ部２の無線ＬＡＮ通信部１４の通信設定を行う。ここで、ステップＳＴ３１と、ステップＳＴ３２の設定作業は時系列に並んでいるものではなく、これら２つの処理が完了した後に、ステップＳＴ３３及びＳＴ３４の処理に移行する。
【００８１】
ステップＳＴ３１−１において、ＣＰＵ１０は、無線ＬＡＮシステム情報設定プログラムに記述された命令に従い、送信信号の出力レベルを予め定められた最低レベルにまで低下させるように、所定値を無線通信部１４のＭＡＣ処理部５２に設定する。
【００８２】
ステップＳＴ３１−２において、ＣＰＵ１０は、無線ＬＡＮシステム情報設定プログラムに記述された命令に従い、無線通信部１４に対して受信信号の信号レベルが所定の閾値よりも小さな受信データを破棄させるように設定をする。具体的には、ＣＰＵ１０は、無線ＬＡＮ通信部１４が常時検出する受信信号のＲＳＳＩ値の下限値として、予め定められた所定値を無線ＬＡＮ通信部１４のＭＡＣ処理部５２に設定する。
【００８３】
ステップＳＴ３２−１において、ＣＰＵ３０は、無線ＬＡＮシステム情報設定プログラムに記述された命令に従い、送信信号の出力レベルを予め定められた最低レベルにまで低下させるように、所定値を無線通信部３４のＭＡＣ処理部５２に設定する。
【００８４】
ステップＳＴ３２−２において、ＣＰＵ３０は、無線ＬＡＮシステム情報設定プログラムに記述された命令に従い、無線通信部３４に対して受信信号の信号レベルが所定の閾値よりも小さな受信データを破棄させるように設定をする。
【００８５】
このように無線ＬＡＮ通信部１４及び無線ＬＡＮ通信部３４は、設定時における送信信号の出力レベルを低下させることで、悪意のある第三者に通信を傍受されないようにする。
【００８６】
そこで、この無線ＬＡＮシステム１は、ベース部２及びモニタ部３に対して無線通信システム情報を設定する際に、ベース部２とモニタ部３とを極至近距離に位置させることを前提として、送信出力を抑えて電波が到達する距離を制限する。また、ベース部２及びモニタ部３は、至近距離から送信されたと考えられるデータのみを受信し、これ以外のデータを破棄することにより、無線ＬＡＮシステム１を設定する際の安全性を向上させ得るようになされている。
【００８７】
この結果、無線ＬＡＮ通信部１４及び無線ＬＡＮ通信部３４は、受信信号のＲＳＳＩ値を常時監視し、この値がＣＰＵ１０及びＣＰＵ３０により設定された値以上のデータのみを受信し、これ以外のデータについては破棄することとなる。
【００８８】
ステップＳＴ３３において、ベース部２のＣＰＵ１０は、ステップＳＴ３１の後に、無線ＬＡＮシステム情報設定プログラムに記述された命令に従い、電波の送信出力を限定した状態で、モニタ部３との通信を開始する。
【００８９】
ステップＳＴ３４において、モニタ部３のＣＰＵ３０は、ベース部２と同様に、ステップＳＴ３２の後に、無線ＬＡＮシステム情報設定プログラムに記述された命令に従い、電波の送信出力を限定した状態で、ベース部３との通信を開始する。
【００９０】
ステップＳＴ３５において、モニタ部３のＣＰＵ３０は、送信出力が限定された状態でベース部２と通信が開始されると、無線ＬＡＮシステム情報設定プログラムに記述された命令に従い、新たなシステム情報をベース部２へ送信する。
【００９１】
ステップＳＴ３６において、ベース部２のＣＰＵ１０は、ステップＳＴ３６の後に、無線ＬＡＮシステム情報設定プログラムに記述された命令に従い、モニタ部３が送信した新たなシステム情報を受信し、新たなシステム情報に基づいて、モニタ部３との間で画像データ等の実質的なデータ通信を開始する。
【００９２】
ステップＳＴ３７において、ベース部２とモニタ部３との間で実質的なデータ通信が開始されると、ベース部２のＣＰＵ１０は、無線ＬＡＮシステム情報設定プログラムに記述された命令に従い、システム情報が表示されているＬＣＤ１９の画面を消去させる。なお、所定の時間を経過してもモニタ部３と通信が行われなかった場合、第三者に表示されているシステム情報を見られるのを防止するため、ＣＰＵ１０は、システム情報が表示されているＬＣＤ１９の画面を消去させる。
【００９３】
ステップＳＴ３８において、ベース部２のＣＰＵ１０は、無線ＬＡＮシステム情報設定プログラムに記述された命令に従い、フラッシュＲＯＭ１３に新たなシステム情報を保存させる。
【００９４】
ステップＳＴ３９において、モニタ部３のＣＰＵ３０は、無線ＬＡＮシステム情報設定プログラムに記述された命令に従い、フラッシュＲＯＭ３３に新たなシステム情報を保存させる。
【００９５】
このように、電波の到達範囲を限定することで、上述したユーザがモニタ部３にシステム情報を入力する認証方法の補填的な役割を果たし、より安全に無線ＬＡＮ通信システムの設定を行うことができる。
【００９６】
なお、本発明は上述した実施の形態のみに限定されるものではなく、本発明の要旨を逸脱しない範囲において種々の変更が可能であることは勿論である。
【図面の簡単な説明】
【００９７】
【図１】無線ＬＡＮシステムを示した概略図である。
【図２】第１の実施形態におけるベース部の構成を示すブロック図である。
【図３】第１の実施形態におけるモニタ部の構成を示すブロック図である。
【図４】第１の実施形態における無線ＬＡＮ通信部の構成を示すブロック図である。
【図５】第１の実施形態における無線ＬＡＮシステム情報設定処理手順を示すフロー図である。
【図６】第２の実施形態におけるベース部の構成を示すブロック図である。
【図７】第２の実施形態におけるモニタ部の構成を示すブロック図である。
【図８】第２の実施形態における無線ＬＡＮ通信部の構成を示すブロック図である。
【図９】第２の実施形態における無線ＬＡＮシステム情報設定処理手順を示すフロー図である。
【図１０】第２の実施形態における無線ＬＡＮシステム情報設定処理手順を示すフロー図である。
【符号の説明】
【００９８】
１  無線ＬＡＮシステム、２  ベース部、３  モニタ部、１０  ＣＰＵ、１１  ＲＯＭ、１２  ＲＡＭ、１３  フラッシュＲＯＭ、１４  無線ＬＡＮ通信部、１５  電源制御部、１６  電源キー、１７  設定キー、１８  キー状態検出部、１９  ＬＣＤ、２０  表示制御部、２１  バス、２２  アンテナ、２３  送信出力制御部、３０  ＣＰＵ、３１  ＲＯＭ、３２  ＲＡＭ、３３  フラッシュＲＯＭ、３４  無線ＬＡＮ通信部、３５  電源制御部、３６  電源キー、３７  ＬＣＤ、３８  表示制御部、３９  タッチパネル、４０  座標検出部、４１  バス、４２  アンテナ、４３  送信出力制御部
【図１】
2007036733.tif 000003
【図２】
2007036733.tif 000004
【図３】
2007036733.tif 000005
【図４】
2007036733.tif 000006
【図５】
2007036733.tif 000007
【図６】
2007036733.tif 000008
【図７】
2007036733.tif 000009
【図８】
2007036733.tif 000010
【図９】
2007036733.tif 000011
【図１０】
2007036733.tif 000012
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
所定のシステム情報を通信装置に設定することによって、所定の通信規格に従った通信を行うようになされた通信システムであって、
システム情報を設定して通信を可能にする第１の通信制御手段と、上記第１の通信制御手段により設定されたシステム情報に基づく通信を行う第１の通信手段と、通信を行う際のシステム情報を記憶している第１のシステム情報記憶手段と、システム情報をユーザに認識可能に提示するシステム情報提示手段とからなる第１の通信装置と、
システム情報を設定して通信を可能にする第２の通信制御手段と、上記第２の通信制御手段により設定されたシステム情報に基づく通信を行う第２の通信手段と、通信を行う際のシステム情報を記憶している第２のシステム情報記憶手段と、システム情報を入力するためのシステム情報入力手段とからなる第２の通信装置とを備え、
上記第１の通信装置は、上記第１のシステム情報記憶手段からシステム情報を読み出して上記システム情報提示手段によりユーザに認識可能に提示し、ユーザが上記第２の通信装置にシステム情報を入力されることにより上記第２の通信装置とシステム情報が共有し、共有されたシステム情報に基づき上記第２の通信装置と通信が開始され、
上記第２の通信装置は、上記システム情報入力手段によりシステム情報が入力されると、入力されたシステム情報を上記第２のシステム情報記憶手段に記憶することで上記第１の通信装置とシステム情報を共有し、共有されたシステム情報に基づき上記第１の通信装置と通信が開始されること
を特徴とする通信システム。
【請求項２】
上記システム情報は、ネットワーク内で共通の当該ネットワークの識別情報及び通信時の暗号化に関する情報であることを特徴とする請求項１記載の通信システム。
【請求項３】
上記第１の通信装置は、上記第２の通信装置とシステム情報を共有した後に、上記第１の通信制御手段により上記第１の通信手段の送信信号の出力レベルを低下させるとともに受信信号の信号レベルが所定値よりも小さな受信データを破棄するように設定して、上記第１の通信手段を通信可能状態とし、上記第２の通信装置から送信される新たなシステム情報を上記第１の通信手段を介して受信し、新たなシステム情報に基づいて上記第２の通信装置との間で通信を行い、
上記第２の通信装置は、上記第１の通信装置とシステム情報を共有した後に、送信信号の出力レベルを低下させるとともに受信信号の信号レベルが所定値よりも小さな受信データを破棄するように設定して上記第２の通信手段を通信可能状態とし、新たなシステム情報を上記第２の通信手段を介して上記第１の通信装置へ送信し、上記新たなシステム情報に基づいて上記第１の通信装置と通信を行うこと
を特徴とする請求項１記載の通信システム。
【請求項４】
所定のシステム情報を設定することによって、所定の通信規格に従った通信を行うようになされた通信システムにおける通信装置であって、
システム情報を設定して通信を可能にする通信制御手段と、
システム情報に基づく通信を行う通信手段と、
システム情報を記憶しているシステム情報記憶手段と、
システム情報をユーザに認識可能に提示するシステム情報提示手段とを備え、
上記システム情報記憶手段からシステム情報を読み出して上記システム情報提示手段によりユーザに認識可能に提示し、他の通信装置とシステム情報を共有することで、共有されたシステム情報に基づき上記他の通信装置と通信を開始すること
を特徴とする通信装置。
【請求項５】
上記システム情報は、ネットワーク内で共通の当該ネットワークの識別情報及び通信時の暗号化に関する暗号化情報であることを特徴とする請求項４記載の通信装置。
【請求項６】
上記他の通信装置との間でシステム情報を共有した後に、送信信号の出力レベルを低下させるとともに受信信号の信号レベルが所定値よりも小さな受信データを破棄するように設定して上記通信手段を通信可能状態とし、上記他の通信装置から送信される新たなシステム情報を上記通信手段を介して受信し、新たなシステム情報に基づいて上記他の通信装置と通信を行うこと
を特徴とする請求項４記載の通信装置。
【請求項７】
所定のシステム情報を共通に設定することによって、所定の通信規格に従った通信を行うようになされた通信システムにおいて、システム情報を提示するシステム情報提示手段を備える他の通信装置との間で通信を行う通信装置であって、
システム情報を設定して通信を可能にする通信制御手段と、
システム情報に基づく通信を行う通信手段と、
システム情報を記憶しているシステム情報記憶手段と、
システム情報を入力するためのシステム情報入力手段とを備え、
上記システム情報入力手段によりシステム情報が入力されると、入力されたシステム情報をシステム情報記憶手段に記憶して、上記他の通信装置とシステム情報を共有し、共有されたシステム情報に基づき上記他の通信装置と通信を開始すること
を特徴とする通信装置。
【請求項８】
上記システム情報は、ネットワーク内で共通の当該ネットワークの識別情報及び通信時の暗号化に関する暗号化情報であることを特徴とする請求項７記載の通信装置。
【請求項９】
上記他の通信装置とシステム情報が共有された後に、送信信号の出力レベルを低下させるとともに受信信号の信号レベルが所定値よりも小さな受信データを破棄するように設定して上記通信手段を通信可能状態とし、新たなシステム情報を上記他の通信装置へ送信し、新たなシステム情報に基づいて上記他の通信装置と通信を開始されること
を特徴とする請求項７記載の通信装置。
【請求項１０】
所定のシステム情報を設定することによって、所定の通信規格に従った通信を行うようになされた通信システムにおける通信方法であって、
第１の通信装置は、予め所定の記憶媒体に記憶しているシステム情報を読み出してユーザに認識可能に提示し、ユーザによって第２の通信装置にシステム情報を入力されることにより上記第２の通信装置とシステム情報が共有し、上記第２の通信装置とシステム情報に基づく通信が開始され、
上記第２の通信装置は、システム情報が入力されると、入力されたシステム情報を所定の記憶媒体に記憶し、上記第１の通信装置と共有されたシステム情報に基づいて上記第１の通信装置と通信を行うこと
を特徴とする通信方法。
【請求項１１】
上記システム情報は、ネットワーク内で共通の当該ネットワークの識別情報及び通信時の暗号化に関する暗号化情報であることを特徴とする請求項１０記載の通信方法。
【請求項１２】
上記第１の通信装置は、上記第２の通信装置との間でシステム情報が共有された後に、第１の通信制御手段により送信信号の出力レベルを低下させるとともに受信信号の信号レベルが所定値よりも小さな受信データを破棄するように設定して、第１の通信手段を通信可能状態とし、上記第２の通信装置が送信する新たなシステム情報を受信することで、上記新たなシステム情報に基づいて上記第２の通信装置と通信が開始され、
上記第２の通信装置は、上記第１の通信装置とシステム情報が共有された後に、第２の通信制御手段により送信信号の出力レベルを低下させるとともに受信信号の信号レベルが所定値よりも小さな受信データを破棄するように設定して、上記第２の通信手段を通信可能状態とし、上記第１の通信装置へ新たなシステム情報を送信することにより、上記新たなシステム情報に基づいて上記第１の通信装置と通信が開始されること
を特徴とする請求項１０記載の通信方法。
【請求項１３】
所定のシステム情報を共通に設定することによって、所定の通信規格に従った通信を行うようになされた通信システムにおける通信装置の通信制御方法であって、
予め記憶しているシステム情報を読み出してユーザに認識可能に提示し、他の通信装置とシステム情報を共有することで、共有されたシステム情報に基づき上記他の通信装置と通信を行うこと
を特徴とする通信制御方法。
【請求項１４】
上記システム情報は、ネットワーク内で共通の当該ネットワークの識別情報及び通信時の暗号化に関する暗号化情報であることを特徴とする請求項１３記載の通信制御方法。
【請求項１５】
上記他の通信装置との間でシステム情報が共有された後に、送信信号の出力レベルを低下させるとともに受信信号の信号レベルが所定値よりも小さな受信データを破棄するように設定し、上記他の通信装置から新たなシステム情報を受信し、新たなシステム情報に基づき上記他の通信装置と通信を行うこと
を特徴とする請求項１３記載の通信制御方法。
【請求項１６】
所定のシステム情報を設定することによって、所定の通信規格に従った通信を行うようになされた通信システムにおけるシステム情報提示手段を備える他の通信装置との間で通信を行う通信装置の通信制御方法であって、
システム情報が入力されると、システム情報が上記他の通信装置と共有され、共有されたシステム情報に基づき上記他の通信装置と通信を行うこと
を特徴とする通信制御方法。
【請求項１７】
上記システム情報は、ネットワーク内で共通の当該ネットワークの識別情報及び通信時の暗号化に関する暗号化情報であることを特徴とする請求項１６記載の通信制御方法。
【請求項１８】
上記他の通信装置との間でシステム情報が共有された後に、送信信号の出力レベルを低下させるとともに受信信号の信号レベルが所定値よりも小さな受信データを破棄するように設定して、通信手段を通信可能状態とし、上記他の通信装置に新たなシステム情報を送信して、上記新たなシステム情報に基づいて上記他の通信装置と通信を行うこと
を特徴とする請求項１６記載の通信制御方法。
【請求項１９】
所定のシステム情報を設定することによって、所定の通信規格に従った通信を行うようになされた通信システムにおける通信装置に搭載されるコンピュータにより実行される通信制御プログラムであって、
予め記憶しているシステム情報を読み出してユーザに認識可能に提示し、ユーザによって他の通信装置にシステム情報を入力されることにより上記他の通信装置とシステム情報を共有し、共有されたシステム情報に基づき上記他の通信装置と通信を行う通信制御をコンピュータにより実行させることを特徴とする通信制御プログラム。
【請求項２０】
上記システム情報は、ネットワーク内で共通の当該ネットワークの識別情報及び通信時の暗号化に関する暗号化情報であることを特徴とする請求項１９記載の通信制御プログラム。
【請求項２１】
上記他の通信装置とシステム情報が共有された後に、送信信号の出力レベルを低下させるとともに受信信号の信号レベルが所定値よりも小さな受信データを破棄するように設定し、上記他の通信装置から上記他の通信装置との間で通信を行う通信制御をコンピュータにより実行させること
を特徴とする請求項１９記載の通信制御プログラム。
【請求項２２】
所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムであって、
システム情報が入力されると、入力されたシステム情報を記憶して、上記他の通信装置とシステム情報が共有され、共有されたシステム情報に基づき上記他の通信装置と通信を開始する通信制御をコンピュータにより実行させること
を特徴とする通信制御プログラム。
【請求項２３】
上記システム情報は、ネットワーク内で共通の当該ネットワークの識別情報及び通信時の暗号化に関する暗号化情報であることを特徴とする請求項２２記載の通信制御プログラム。
【請求項２４】
上記他の通信装置とシステム情報が共有された後に、送信信号の出力レベルを低下させるとともに受信信号の信号レベルが所定値よりも小さな受信データを破棄するように設定して、上記通信手段を通信可能状態とし、上記他の通信装置に新たなシステム情報を送信し、上記新たなシステム情報に基づいて上記他の通信装置との間で通信を行う通信制御をコンピュータにより実行させること
を特徴とする請求項２２記載の通信制御プログラム。
【請求項２５】
所定のシステム情報を設定することによって、所定の通信規格に従った通信を行うようになされた通信システムにおける通信装置に搭載されるコンピュータにより実行される通信制御プログラムを記憶したプログラム記憶媒体であって、
予め記憶しているシステム情報を読み出してユーザに認識可能に提示し、ユーザによって上記他の通信装置にシステム情報を入力されることによりシステム情報が共有され、共有されたシステム情報に基づいて上記他の通信装置との間で通信を行う通信制御プログラムをコンピュータにより読み取り実行可能に記憶したこと
を特徴とするプログラム記憶媒体。
【請求項２６】
上記システム情報は、ネットワーク内で共通の当該ネットワークの識別情報及び通信時の暗号化に関する暗号化情報であることを特徴とする請求項２５記載のプログラム記憶媒体。
【請求項２７】
上記他の通信装置とシステム情報が共有された後に、送信信号の出力レベルを低下させるとともに受信信号の信号レベルが所定値よりも小さな受信データを破棄するように設定して、上記通信手段を通信可能状態とし、上記他の通信装置から新たなシステム情報を受信し、上記新たなシステム情報に基づいて上記他の通信装置と通信を行う通信制御プログラムをコンピュータにより読み取り実行可能に記憶したこと
を特徴とする請求項２５記載のプログラム記憶媒体。
【請求項２８】
所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムを記憶したプログラム記憶媒体であって、
システム情報が入力されると、入力されたシステム情報を記憶するとともに送信して、上記他の通信装置が上記システム情報に基づき認証処理を行うことで通信を開始する通信制御プログラムをコンピュータにより読み取り実行可能に記憶したこと
を特徴とするプログラム記憶媒体。
【請求項２９】
上記システム情報は、ネットワーク内で共通の当該ネットワークの識別情報及び通信時の暗号化に関する暗号化情報であることを特徴とする請求項２８記載のプログラム記憶媒体。
【請求項３０】
上記他の通信装置との間で上記システム情報が共有された後に、送信信号の出力レベルを低下させるとともに受信信号の信号レベルが所定値よりも小さな受信データを破棄するように設定して、通信手段を通信可能とし、新たなシステム情報を上記他の通信装置へ送信して、上記新たなシステム情報に基づいて上記他の通信装置と通信を行う通信制御プログラムをコンピュータにより読み取り実行可能に記憶したこと
を特徴とする請求項２８記載のプログラム記憶媒体。
【手続補正２】
【補正対象書類名】明細書
【補正対象項目名】全文
【補正方法】変更
【補正の内容】
【発明の詳細な説明】
【技術分野】
【０００１】
本発明は、複数の通信装置間で無線通信を行う通信システム、通信装置、通信方法、通信制御方法、通信制御プログラム、及びプログラム記憶媒体に関する。
【背景技術】
【０００２】
近年、複数の情報処理端末で通信を行う際に、無線ＬＡＮ（Local Area Network）通信手段を用いるものがある。このような無線ＬＡＮ通信手段を用いる際に、通信する無線ＬＡＮを特定するための識別情報設定、接続開始時に認証を行って、以降のデータ通信を暗号化するためのセキュリティ情報設定が必要であり、セキュリティ方式に関してはＩＥＥＥ８０２．１１規格であるＷＥＰ（Wired Equivalent Privacy）方式、またはＩＥＥＥ８０２．１１ｉ規格である事前共通鍵方式など様々なセキュリティ方式の規格が従来から用いられている。
【０００３】
【特許文献１】特開２００１−３５８９６６号公報
【発明の開示】
【発明が解決しようとする課題】
【０００４】
無線通信は、電波を使用するため通信範囲を限定することが困難であり、高性能なアンテナと無線装置を用いられた場合、物理的に離れた場所から悪意をもった第３者に不正に無線通信を傍受される危険性がある。このような通信の傍受から不正にアクセスされるのを阻止するため、無線ＬＡＮ通信は従来、ＩＥＥＥ８０２．１１規格であるＷＥＰ（Wired Equivalent Privacy）方式、またはＩＥＥＥ８０２．１１ｉ規格である事前共有鍵方式などの規格化されたセキュリティ方式が用いられている。しかし、このような認証及び暗号方式のアルゴリズムは、悪意をもった第３者に破られる場合もあり、通信データが不正にアクセスされるという危険がある。
【０００５】
また、これらのセキュリティ方式は、無線ＬＡＮ通信を開始する前に、ユーザが予め認証・暗号化に必要な情報を、無線通信を行う双方の情報処理端末に設定しておく必要がある。さらに、通信する無線ＬＡＮを識別するためのＳＳＩＤ（Service Set Identifier）情報を双方の情報処理端末に設定しておく必要がある。よってこれらの設定を行うためには、ユーザへ必要な情報をネットワーク管理者が書類またはインターネット回線等で事前に通知しておかなければならないので、大変不便である。そこで、この不便さを解消するために、より簡単な情報設定方法が期待される。
【０００６】
本発明は、このような上述した実情に鑑みて提案されたものであり、立ち入る人物が限定されている場所において、ユーザが安全且つ容易に通信接続設定を行うことができる通信システム、通信装置、通信方法、通信制御方法、通信制御プログラム、及びプログラム記憶媒体を提供することを目的とする。
【課題を解決するための手段】
【０００７】
上述した目的を達成するために、本発明に係る通信システムは、所定のシステム情報を通信装置に設定することによって、所定の通信規格に従った通信を行うようになされた通信システムであって、システム情報を設定して通信を可能にする第１の通信制御手段と、上記通信制御手段により設定されたシステム情報に基づく通信を行う第１の通信手段と、通信を行う際のシステム情報を記憶している第１のシステム情報記憶手段と、システム情報をユーザに認識可能に提示するシステム情報提示手段とからなる第１の通信装置と、システム情報を設定して通信を可能にする第２の通信制御手段と、上記第２の通信制御手段により設定されたシステム情報に基づく通信を行う第２の通信手段と、通信を行う際のシステム情報を記憶している第２のシステム情報記憶手段と、システム情報を入力するためのシステム情報入力手段とからなる第２の通信装置とを備え、上記第１の通信装置は、上記第１のシステム情報記憶手段からシステム情報を読み出して上記システム情報提示手段によりユーザに認識可能に提示し、ユーザが上記第２の通信装置にシステム情報を入力されることにより上記第２の通信装置とシステム情報が共有し、共有されたシステム情報に基づき上記第２の通信装置と通信が開始され、上記第２の通信装置は、上記システム情報入力手段によりシステム情報が入力されると、入力されたシステム情報を上記第２のシステム情報記憶手段に記憶することで上記第１の通信装置とシステム情報を共有し、共有されたシステム情報に基づき上記第１の通信装置と通信が開始されることを特徴とする。
【０００８】
また、本発明に係る通信装置は、所定のシステム情報を設定することによって、所定の通信規格に従った通信を行うようになされた通信システムにおける通信装置であって、システム情報を設定して通信を可能にする通信制御手段と、システム情報に基づく通信を行う通信手段と、システム情報を記憶しているシステム情報記憶手段と、システム情報をユーザに認識可能に提示するシステム情報提示手段とを備え、上記システム情報記憶手段からシステム情報を読み出して上記システム情報提示手段によりユーザに認識可能に提示し、他の通信装置とシステム情報を共有することで、共有されたシステム情報に基づき上記他の通信装置と通信を開始することを特徴とする。
【０００９】
また、本発明に係る通信装置は、所定のシステム情報を共通に設定することによって、所定の通信規格に従った通信を行うようになされた通信システムにおいて、システム情報を提示するシステム情報提示手段を備える他の通信装置との間で通信を行う通信装置であって、システム情報を設定して通信を可能にする通信制御手段と、システム情報に基づく通信を行う通信手段と、システム情報を記憶しているシステム情報記憶手段と、システム情報を入力するためのシステム情報入力手段とを備え、上記システム情報入力手段によりシステム情報が入力されると、入力されたシステム情報をシステム情報記憶手段に記憶して、上記他の通信装置とシステム情報を共有し、共有されたシステム情報に基づき上記他の通信装置と通信を開始することを特徴とする。
【００１０】
また、本発明に係る通信方法は、所定のシステム情報を設定することによって、所定の通信規格に従った通信を行うようになされた通信システムにおける通信方法であって、第１の通信装置は、予め所定の記憶媒体に記憶しているシステム情報を読み出してユーザに認識可能に提示し、ユーザによって第２の通信装置にシステム情報を入力されることにより上記第２の通信装置とシステム情報が共有し、上記第２の通信装置とシステム情報に基づく通信が開始され、上記第２の通信装置は、システム情報が入力されると、入力されたシステム情報を所定の記憶媒体に記憶し、上記第１の通信装置と共有されたシステム情報に基づいて上記第１の通信装置と通信を行うことを特徴とする。
【００１１】
また、本発明に係る通信制御方法は、所定のシステム情報を共通に設定することによって、所定の通信規格に従った通信を行うようになされた通信システムにおける通信装置の通信制御方法であって、予め記憶しているシステム情報を読み出してユーザに認識可能に提示し、他の通信装置とシステム情報を共有することで、共有されたシステム情報に基づき上記他の通信装置と通信を行うことを特徴とする。
【００１２】
また、本発明に係る通信制御方法は、所定のシステム情報を設定することによって、所定の通信規格に従った通信を行うようになされた通信システムにおけるシステム情報提示手段を備える他の通信装置との間で通信を行う通信装置の通信制御方法であって、システム情報が入力されると、システム情報が上記他の通信装置と共有され、共有されたシステム情報に基づき上記他の通信装置と通信を行うことを特徴とする。
【００１３】
また、本発明に係る通信制御プログラムは、所定のシステム情報を設定することによって、所定の通信規格に従った通信を行うようになされた通信システムにおける通信装置に搭載されるコンピュータにより実行される通信制御プログラムであって、予め記憶しているシステム情報を読み出してユーザに認識可能に提示し、ユーザによって他の通信装置にシステム情報を入力されることにより上記他の通信装置とシステム情報を共有し、共有されたシステム情報に基づき上記他の通信装置と通信を行う通信制御をコンピュータにより実行させることを特徴とする。
【００１４】
また、本発明に係る通信制御プログラムは、所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムであって、システム情報が入力されると、入力されたシステム情報を記憶して、上記他の通信装置とシステム情報が共有され、共有されたシステム情報に基づき上記他の通信装置と通信を開始する通信制御をコンピュータにより実行させることを特徴とする。
【００１５】
また、本発明に係るプログラム記憶媒体は、所定のシステム情報を設定することによって、所定の通信規格に従った通信を行うようになされた通信システムにおける通信装置に搭載されるコンピュータにより実行される通信制御プログラムを記憶したプログラム記憶媒体であって、予め記憶しているシステム情報を読み出してユーザに認識可能に提示し、ユーザによって上記他の通信装置にシステム情報を入力されることによりシステム情報が共有され、共有されたシステム情報に基づいて上記他の通信装置との間で通信を行う通信制御プログラムをコンピュータにより読み取り実行可能に記憶したことを特徴とする。
【００１６】
また、本発明に係るプログラム記憶媒体は、所定のシステム情報を設定することによって、所定の通信規格に従った通信を行うようになされた通信システムにおけるシステム情報提示手段を備える他の通信装置との間で通信を行う通信装置に搭載されるコンピュータにより実行される通信制御プログラムを記憶したプログラム記憶媒体であって、システム情報が入力されると、入力されたシステム情報を記憶するとともに送信して、上記他の通信装置が上記システム情報に基づき認証処理を行うことで通信を開始する通信制御プログラムをコンピュータにより読み取り実行可能に記憶したことを特徴とする。
【発明の効果】
【００１７】
本発明に係る無線通信システムは、第１の通信装置が接続設定情報をユーザに通知し、上記接続設定情報をユーザが第２の通信装置に入力することにより通信設定が行われる。立ち入る人物が限定されている場所に通信装置が設置されている場合、接続設定情報がユーザに提示される範囲は限定されているので、ユーザは安全に接続設定を行うことができる。
【００１８】
また、従来の書類またはインターネット回線等による接続設定情報の提供に対して、通信装置が備える接続設定情報提示手段によりユーザに接続設定情報が提示されるので、ユーザは、より簡単に接続設定を行うことができる。
【発明を実施するための最良の形態】
【００１９】
以下、本発明を適用した無線ＬＡＮシステムについて、図面を参照しながら詳細に説明する。
【００２０】
図１は、本発明を適用した第１の実施形態の無線ＬＡＮシステム１を示した構成図である。
【００２１】
無線ＬＡＮシステム１は、図１に示すように、無線ＬＡＮ通信手段をもつ通信装置であるベース部２と、ベース部２と無線通信手段を介して通信し、その通信データである画像データを表示するモニタ部３とから構成される。
【００２２】
なお、本実施形態では、ベース部２から画像データをモニタ部３へ送信し、モニタ部３はその画像データを表示する場合を考えているが、このような形態に限らず、音声データを通信する場合でもよく、モニタ部３とスピーカとを組み合わせて無線ＬＡＮ通信システムを構成するようにしてもよい。
【００２３】
次に、ベース部２の構成について図２を用いて説明する。
【００２４】
ベース部２は、図２に示すように、所定の演算処理を行うＣＰＵ（Central Processing Unit）１０と、各種制御プログラム等を記憶保持するＲＯＭ（Read Only Memory）１１と、ＣＰＵ１０のワークメモリとしてのＲＡＭ（Random Access Memory）１２と、予め定められた無線ＬＡＮシステム情報を記憶するフラッシュＲＯＭ１３と、外部と通信を行う無線ＬＡＮ通信部１４と、ベース部２全体の電源のオン／オフを制御する電源制御部１５と、電源制御部１５にオン／オフ信号を入力する電源キー１６と、ベース部２の所定位置に配置された設定キー１７の状態を検出するキー状態検出部１８と、無線ＬＡＮシステムのＳＳＩＤと認証・暗号設定に関する無線ＬＡＮシステム情報等をユーザに対して表示するＬＣＤ（Liquid Crystal Display）１９と、ＬＣＤ１９の表示を制御する表示制御部２０とを有し、これらがバス２１を介して相互に接続されている。
【００２５】
ＣＰＵ１０は、無線ＬＡＮ通信部１４から与えられるモニタ部３からの各種制御命令及び各種データまたは、ＲＯＭ１１に格納された各種プログラムに基づいて各種制御処理を実行する。
【００２６】
無線ＬＡＮ通信部１４は、設定された無線ＬＡＮシステム情報を用いてモニタ部３との間で通信が開始され、モニタ部３から送信された各種制御命令または各種データを、無線ＬＡＮ通信部１４に接続されているアンテナ２２を介して受信すると、バス２１を介してＣＰＵ１０に送出する。
【００２７】
電源制御部１５は、ベース部２の所定位置に配置された電源キー１６がユーザによって押圧操作されると、図示しない電源回路を制御して各回路に対する駆動電流の供給を開始または停止させることにより、ベース部２全体の電源をオン／オフさせる。
【００２８】
キー状態検出部１８は、設定キー１７の状態を常時監視し、該当設定キー１７がユーザによって押圧操作されると、この操作をＣＰＵ１０に通知する。この操作がＣＰＵ１０に通知されると、ＣＰＵ１０はＲＯＭ１１に格納された無線ＬＡＮシステム情報設定プログラムを読み出し、この無線ＬＡＮシステム情報設定プログラムに記述された命令に従って無線ＬＡＮシステム情報を無線ＬＡＮ通信部１４に設定する。
【００２９】
次に、モニタ部３の構成について図３を用いて説明する。
【００３０】
モニタ部３は、図３に示すように、所定の演算処理を行うＣＰＵ３０と、各種制御プログラム等を格納するＲＯＭ３１と、ＣＰＵ３０のワークメモリとしてのＲＡＭ３２と、モニタ部３について予め定められた無線ＬＡＮシステム情報を記憶するフラッシュＲＯＭ３３と、外部と通信を行う無線ＬＡＮ通信部３４と、モニタ部３全体の電源のオン／オフを制御する電源制御部３５と、電源制御部３５にオン／オフ信号を入力する電源キー３６と、ＬＣＤ（Liquid Crystal Display）３７を制御する表示制御部３８と、ＬＣＤ３７に配設されたタッチパネル３９と、ユーザがタッチパネル３９を操作して得られた座標位置を検出する座標検出部４０とを有し、これらがバス４１を介して相互に接続されることにより構成されている。
【００３１】
ＣＰＵ３０は、無線ＬＡＮ通信部３４にベース部２の無線ＬＡＮシステム情報が設定されていない状態で、例えばＲＯＭ３１に格納された各種制御プログラムに基づく画像データを表示制御部３８に与えることにより、無線ＬＡＮシステム情報設定用の所定のＧＵＩ（Graphical User Interface）画面をＬＣＤ３７に表示させる。
【００３２】
ＬＣＤ３７にＧＵＩ画面が表示されると、ＣＰＵ３０は、無線ＬＡＮシステムを設定すべき旨の入力があったことを座標検出部４０の検出結果に基づいて認識して、ＲＯＭ３１に格納された無線ＬＡＮシステム情報設定プログラムを読み出し、この無線ＬＡＮシステム情報設定プログラムに記述された命令に従って、無線ＬＡＮシステム情報を無線ＬＡＮ通信部３４に設定する。
【００３３】
電源制御部３５は、モニタ部３の所定位置に配設された電源キー３６がユーザによって押圧操作されたか否かを常時監視し、該当電源キー３６が押圧操作されると、図示しない電源回路を制御して各回路に対する駆動電流の供給を開始または停止させることにより、モニタ部３の電源をオン／オフさせる。
【００３４】
無線ＬＡＮ通信部３４は、設定された無線ＬＡＮシステム情報を用いてベース部２から送信された各種制御命令を、無線ＬＡＮ通信部３４に接続されているアンテナ４２を介して受信した場合には、バス４１を介してＣＰＵ３０に送出する。
【００３５】
次に、ベース部２における無線ＬＡＮ通信部１４の具体的構成を図４に示す。
【００３６】
無線ＬＡＮ通信部１４は、図４に示すように、ＲＦ（Radio Frequency）／ＩＦ（Intermediate Frequency）処理部５０と、ベースバンド処理部５１と、ＭＡＣ（Media Access Control）処理部５２から構成されている。
【００３７】
まず、無線ＬＡＮ通信部１４の送信処理について説明をする。ＭＡＣ処理部５２は、バス２１を介して与えられる各種データに対し、該当無線ＬＡＮシステム情報に含まれる暗号化情報に従った暗号化処理、フレームフォーマットの変換、送出タイミング制御などの所定のＭＡＣ処理を施し、得られたフレームデータＤ１をベースバンド処理部５１に送出する。
【００３８】
ベースバンド処理部５１は、供給されるフレームデータＤ１をＩＱ信号Ｓ１０に変調し、ＩＱ信号Ｓ１０をＲＦ／ＩＦ処理部５０に送出する。
【００３９】
ＲＦ／ＩＦ処理部５０は、ベースバンド処理部５１から与えられるＩＱ信号Ｓ１０を中間周波（ＩＦ）信号に変換し、さらに高周波（ＲＦ）信号にアップコンバートし、このＲＦ信号Ｓ１１を増幅処理し、アンテナ２２を介して、通信相手のモニタ部３へ送信する。
【００４０】
次に、無線ＬＡＮ通信部１４の受信処理について説明をする。アンテナ２２が、通信相手のモニタ部３から送信信号を受信すると、ＲＦ／ＩＦ処理部５０は、受信した高周波信号Ｓ１２を中間周波信号にダウンコンバートするとともに、この中間周波信号をさらにＩＱ信号Ｓ１３に変換してベースバンド処理部５１に送出する。
【００４１】
ベースバンド処理部５１は、ＲＦ／ＩＦ処理部５０から与えられるＩＱ信号Ｓ１３を復調し、得られたフレームデータＤ２をＭＡＣ処理部５２へ送出する。
【００４２】
ＭＡＣ処理部５２は、ベースバンド処理部５１から与えられるフレームデータＤ２を当該無線通信システム情報に含まれる暗号化情報に従って復号して、必要なデータを抽出し、バス２２を介して、ＣＰＵ１０などの対応するブロックに送出する。
【００４３】
ここで、モニタ部３における無線ＬＡＮ通信部３４は、ベース部２における無線ＬＡＮ通信部１４と同様の構成をなしており、同様の送受信処理を行う。
【００４４】
次にこの無線ＬＡＮシステム１のベース部２及びモニタ部３における無線ＬＡＮシステムの設定処理について、図５を参照して説明する。この無線ＬＡＮシステム１は、ベース部２の設定キー１７を押圧操作するとともにモニタ部３のＬＣＤ３７に所定のＧＵＩを表示させてタッチパネル３９を操作することによって、ベース部２とモニタ部３との間で通信を行う。無線ＬＡＮシステム情報を共有して、無線ＬＡＮ通信部１４及び無線ＬＡＮ通信部３４にそれぞれ設定する無線ＬＡＮ情報設定機能は、ベース部２及びモニタ部３にそれぞれ搭載されている。なお、図５のフロー図は、左側が無線ＬＡＮシステム情報設定プログラムの記述に応じたベース部２の動作の時間的な流れを示し、中央がユーザの操作の時間的な流れを示し、右側が無線ＬＡＮシステム情報設定プログラムの記述に応じたモニタ部３の動作の時間的な流れを示している。
【００４５】
ステップＳＴ１において、ユーザは、ベース部２の設定キー１７を押圧操作する。
【００４６】
ステップＳＴ２において、ユーザがベース部３の設定キー１７を押圧操作すると、ＣＰＵ１０は、ＲＯＭ１１から無線ＬＡＮシステム情報設定プログラムを読み出し、これをＲＡＭ１２に展開する。
【００４７】
ステップＳＴ３において、無線ＬＡＮシステム情報設定プログラムがＲＡＭ１２に展開されると、ＣＰＵ１０は、無線ＬＡＮ通信部１４から暗号化情報などの設定に関するシステム情報を取得する。
【００４８】
ステップＳＴ４において、システム情報を取得すると、ＣＰＵ１０は、無線ＬＡＮシステム情報設定プログラムに記述された命令に従い、システム情報をＬＣＤ１９に表示させる。
【００４９】
ステップＳＴ５において、システム情報がＬＣＤ１９に表示されると、ユーザは、システム情報を読み取る。
【００５０】
なお、ユーザに対してシステム情報を認識させる方法は、ＬＣＤ１９による表示に限らず、スピーカによる音声などを用いるようにしてもよい。
【００５１】
ステップＳＴ６において、ユーザは、モニタ部３が無線ＬＡＮシステム情報設定プログラムを起動するためにタッチパネル３９を操作する。
【００５２】
ステップＳＴ７において、ユーザがタッチパネル３９を操作すると、ＣＰＵ３０は、ＲＯＭ３１から無線ＬＡＮシステム情報設定プログラムを読み出し、これをＲＡＭ３２に展開する。
【００５３】
ステップＳＴ８において、モニタ部３が無線ＬＡＮシステム情報設定プログラムを起動すると、モニタ部３のＣＰＵ３０は、無線ＬＡＮシステム情報設定プログラムに記述された命令に従い、表示制御部３８に対して、ユーザがシステム情報を入力するための画面を表示させる。
【００５４】
ステップＳＴ９において、ユーザは、ＬＣＤ１９から読み取ったシステム情報を、タッチパネル３９の入力手段を用いて、ＬＣＤ３７の入力画面に従って入力する。
【００５５】
ステップＳＴ１０において、ユーザによりモニタ部３にシステム情報が入力されると、ＣＰＵ３０は、無線ＬＡＮシステム情報設定プログラムに記述された命令に従い、システム情報を無線ＬＡＮ通信部３４のＭＡＣ処理部５２に設定する。
【００５６】
ステップＳＴ１１において、システム情報が無線ＬＡＮ通信部３４に設定されると、ＣＰＵ３０は、無線ＬＡＮシステム情報設定プログラムに記述された命令に従い、ベース部２を探知し、ベース部２と通信を開始する。
【００５７】
このように、立ち入る人物が限定されている場所に通信装置が設置されている場合、システム情報がユーザに提示される範囲は限定されているので、ユーザは安全に通信設定を行うことができる。また、無線ＬＡＮシステム１は、ベース部２とモニタ部３との間の認証処理と所定のシステム情報の設定とを同時に行うことができる。
【００５８】
ステップＳＴ１２において、ベース部２とモニタ部３との間で通信が開始されると、ベース部２のＣＰＵ１０は、無線ＬＡＮシステム情報設定プログラムに記述された命令に従い、システム情報が表示されているＬＣＤ１９の画面を消去させる。なお、所定の時間を経過してもベース部２とモニタ部３との間の通信が確認されなかった場合、第三者に表示されているシステム情報を見られるのを防止するため、ＣＰＵ１０は、システム情報が表示されているＬＣＤ１９の画面を消去させる。
【００５９】
ステップＳＴ１３において、モニタ部３のＣＰＵ３０は、無線ＬＡＮシステム情報設定プログラムに記述された命令に従い、フラッシュＲＯＭ３３にシステム情報を保存させる。
【００６０】
フラッシュＲＯＭ３３にシステム情報を保存させることにより、モニタ部３が再起動された場合も、接続を確立するためのシステム情報がフラッシュＲＯＭに保持されているので、無線ＬＡＮシステム１は、繰り返し接続に関する設定操作を行わなくても無線通信を開始することができる。
【００６１】
このように、ベース部２のＬＣＤ１９が表示するシステム情報をユーザが認知し、ユーザがモニタ部３に入力することにより、安全且つ容易に無線ＬＡＮシステム１の設定を行うことができる。
【００６２】
次に、本発明を適用した第２の実施形態の無線ＬＡＮシステムについて説明する。
【００６３】
第２の実施形態の無線ＬＡＮシステムは、第１の実施形態と同様に、無線ＬＡＮ通信手段をもつ通信装置であるベース部２と、ベース部２と無線通信手段を介して通信するモニタ部３とから構成される。
【００６４】
第２の実施形態におけるベース部２は、図６に示すように構成されており、第１の実施形態におけるベース部２と同様の機能を有するものについては説明を省略する。送信出力制御部２３は、第１の実施形態におけるベース部２にはないものであり、バス２１と無線ＬＡＮ通信部１４とを介すように接続されており、無線ＬＡＮ通信部１４が行う通信における送信出力の制御を行う。
【００６５】
次に、モニタ部３の構成について図７を用いて説明する。
【００６６】
モニタ部３は、図７に示すように、第１の実施形態におけるモニタ部３と同様の機能を有するものがある。これらの説明については省略する。送信出力制御部４３は、第１の実施形態におけるモニタ部３にはないものであり、バス４１と無線ＬＡＮ通信部３４と介すように接続されており、無線ＬＡＮ通信部１４が行う通信における送信出力の制御を行う。
【００６７】
次に、ベース部２の無線ＬＡＮ通信部１４の具体的構成を図８に示す。
【００６８】
無線ＬＡＮ通信部１４は、図８に示すように、ＲＦ（Radio Frequency）／ＩＦ（Intermediate Frequency）処理部５０と、ベースバンド処理部５１と、ＭＡＣ（Media Access Control）処理部５２から構成されている。
【００６９】
まず、送信処理について説明する。ＭＡＣ処理部５２は、バス２１を介して与えられる各種データに対し、該当無線ＬＡＮシステム情報に含まれる暗号化情報に従った暗号化処理フレームフォーマットへの変換、送出タイミング制御などの所定のＭＡＣ処理を施し、得られたフレームデータＤ１をベースバンド処理部５１に送出する。
【００７０】
ベースバンド処理部５１は、供給されるフレームデータＤ１をＩＱ信号Ｓ１０に変調し、これをＲＦ／ＩＦ処理部５０に送出する。またベースバンド処理部５１は、ＭＡＣ処理部５２に設定されている送信出力レベルの設定値に応じた送信出力制御信号Ｓ１１をＲＦ／ＩＦ処理部５０に送出することにより、当該ＲＦ／ＩＦ処理部５０内の図示しない増幅器のゲインを当該設定値に応じた値に設定する。
【００７１】
ＲＦ／ＩＦ処理部５０は、ベースバンド処理部５１から与えられるＩＱ信号Ｓ１０を中間周波（ＩＦ）信号に変換し、さらに高周波（ＲＦ）信号にアップコンバートし、このＲＦ信号Ｓ１２を増幅処理し、アンテナ２２を介して、通信相手のモニタ部に送信する。
【００７２】
次に、受信処理について説明する。アンテナ２２が、通信相手のモニタ部から送信された信号を受信する。ＲＦ／ＩＦ処理部５０は、受信した高周波信号Ｓ１３を中間周波信号にダウンコンバートするとともに、この中間周波信号をさらにＩＱ信号Ｓ１４に変換してベースバンド処理部５１に送出する。またＲＦ／ＩＦ処理部５０は、図示しない内部の検波回路における検出結果を検波信号Ｓ１５としてベースバンド処理部５１に送出する。
【００７３】
ベースバンド処理部５１は、ＲＦ／ＩＦ処理部５０から与えられるＩＱ信号Ｓ１４を復調し、得られたフレームデータＤ２をＭＡＣ処理部５２へ送出するとともに、このときＲＦ／ＩＦ処理部５０から与えられる検波信号Ｓ１５に基づいて受信信号（すなわち受信した高周波信号）の強度を表すＲＳＳＩ（Received Signal Strength Indicator）値を検出し、検出結果をＲＳＳＩ値情報Ｄ３としてＭＡＣ処理部５２に送出する。
【００７４】
ＭＡＣ処理部５２は、ベースバンド処理部５１から与えられるフレームデータＤ２を当該無線ＬＡＮ情報に含まれる暗号化情報に従って復号して、必要なデータを抽出し、これを、バス２２を介して、ＣＰＵ１０などの対応するブロックに送出する。この際、無線ＬＡＮ通信部１４は、ＲＳＳＩ値情報Ｄ３に基づき認識される受信信号のＲＳＳＩ値がＣＰＵ１０またはＣＰＵ３０により予め設定された所定の値よりも小さいときに、そのフレームデータＤ２を破棄する。
【００７５】
このように無線ＬＡＮ通信部１４は、必要に応じて信号レベルの低いフレームデータを破棄しながら、通信相手と規格に応じた通信を行えるようになっている。
【００７６】
なお、モニタ部３の無線ＬＡＮ通信部３４は、上述した無線ＬＡＮ通信部１４と同様な構成をなしており、同様の送信処理及び受信処理を行う。
【００７７】
次にこの無線ＬＡＮシステム１のベース部２及びモニタ部３における無線ＬＡＮシステムの設定処理について、図９と図１０とを参照して説明する。
【００７８】
この無線ＬＡＮシステム１は、ベース部２の設定キー１７を押圧操作するとともにモニタ部３のＬＣＤ３７に所定のＧＵＩを表示させてタッチパネル３９を操作することによって、ベース部２とモニタ部３との間で通信を行う。無線ＬＡＮシステム情報を共有して、無線ＬＡＮ通信部１４及び無線ＬＡＮ通信部３４にそれぞれ設定する無線ＬＡＮ情報設定機能は、ベース部２及びモニタ部３にそれぞれ搭載されている。なお、図９と図１０とのフロー図は、左側が無線ＬＡＮシステム情報設定プログラムの記述に応じたベース部２の動作の時間的な流れを示し、中央がユーザの操作の時間的な流れを示し、右側が無線ＬＡＮシステム情報設定プログラムの記述に応じたモニタ部３の動作の時間的な流れを示している。
【００７９】
図９におけるステップＳＴ２１からステップＳＴ３０において、無線ＬＡＮシステム１は、無線ＬＡＮシステム情報設定プログラムに記述された命令に従い、第１の実施形態で示した設定処理と同様の処理が行われるので、説明を省略する。ただし、第１の実施形態が上述した処理により認証と通信の接続が完了した後に実質的なデータの通信が開始されるのに対して、第２の実施形態における無線ＬＡＮシステムの設定処理は、図１０に示すステップＳＴ３１からステップ３６までの処理を行うことで、ベース部２とモニタ部３との間でデータ通信が開始される。
【００８０】
ステップＳＴ３１において、ベース部２の無線ＬＡＮ通信部１４の通信設定を行う。同様に、ステップＳＴ３２において、モニタ部３の無線ＬＡＮ通信部３４の通信設定を行う。ここで、ステップＳＴ３１と、ステップＳＴ３２の設定作業は時系列に並んでいるものではなく、これら２つの処理が完了した後に、ステップＳＴ３３及びＳＴ３４の処理に移行する。
【００８１】
ステップＳＴ３１−１において、ＣＰＵ１０は、無線ＬＡＮシステム情報設定プログラムに記述された命令に従い、送信信号の出力レベルを予め定められた最低レベルにまで低下させるように、所定値を無線ＬＡＮ通信部１４のＭＡＣ処理部５２に設定する。
【００８２】
ステップＳＴ３１−２において、ＣＰＵ１０は、無線ＬＡＮシステム情報設定プログラムに記述された命令に従い、無線ＬＡＮ通信部１４に対して受信信号の信号レベルが所定の閾値よりも小さな受信データを破棄させるように設定をする。具体的には、ＣＰＵ１０は、無線ＬＡＮ通信部１４が常時検出する受信信号のＲＳＳＩ値の下限値として、予め定められた所定値を無線ＬＡＮ通信部１４のＭＡＣ処理部５２に設定する。
【００８３】
ステップＳＴ３２−１において、ＣＰＵ３０は、無線ＬＡＮシステム情報設定プログラムに記述された命令に従い、送信信号の出力レベルを予め定められた最低レベルにまで低下させるように、所定値を無線通信部３４のＭＡＣ処理部５２に設定する。
【００８４】
ステップＳＴ３２−２において、ＣＰＵ３０は、無線ＬＡＮシステム情報設定プログラムに記述された命令に従い、無線通信部３４に対して受信信号の信号レベルが所定の閾値よりも小さな受信データを破棄させるように設定をする。
【００８５】
このように無線ＬＡＮ通信部１４及び無線ＬＡＮ通信部３４は、設定時における送信信号の出力レベルを低下させることで、悪意のある第三者に通信を傍受されないようにする。
【００８６】
そこで、この無線ＬＡＮシステム１は、ベース部２及びモニタ部３に対して無線ＬＡＮシステム情報を設定する際に、ベース部２とモニタ部３とを極至近距離に位置させることを前提として、送信出力を抑えて電波が到達する距離を制限する。また、ベース部２及びモニタ部３は、至近距離から送信されたと考えられるデータのみを受信し、これ以外のデータを破棄することにより、無線ＬＡＮシステム１を設定する際の安全性を向上させ得るようになされている。
【００８７】
この結果、無線ＬＡＮ通信部１４及び無線ＬＡＮ通信部３４は、受信信号のＲＳＳＩ値を常時監視し、この値がＣＰＵ１０及びＣＰＵ３０により設定された値以上のデータのみを受信し、これ以外のデータについては破棄することとなる。
【００８８】
ステップＳＴ３３において、ベース部２のＣＰＵ１０は、ステップＳＴ３１の後に、無線ＬＡＮシステム情報設定プログラムに記述された命令に従い、電波の送信出力を限定した状態で、モニタ部３との通信を開始する。
【００８９】
ステップＳＴ３４において、モニタ部３のＣＰＵ３０は、ベース部２と同様に、ステップＳＴ３２の後に、無線ＬＡＮシステム情報設定プログラムに記述された命令に従い、電波の送信出力を限定した状態で、ベース部３との通信を開始する。
【００９０】
ステップＳＴ３５において、モニタ部３のＣＰＵ３０は、送信出力が限定された状態でベース部２と通信が開始されると、無線ＬＡＮシステム情報設定プログラムに記述された命令に従い、新たにタッチパネル３９を介して入力されたシステム情報をベース部２へ送信する。
【００９１】
ステップＳＴ３６において、ベース部２のＣＰＵ１０は、無線ＬＡＮシステム情報設定プログラムに記述された命令に従い、モニタ部３が送信した新たなシステム情報を受信し、新たなシステム情報に基づいて、モニタ部３との間で画像データ等の実質的なデータ通信を開始する。
【００９２】
ステップＳＴ３７において、ベース部２とモニタ部３との間で実質的なデータ通信が開始されると、ベース部２のＣＰＵ１０は、無線ＬＡＮシステム情報設定プログラムに記述された命令に従い、システム情報が表示されているＬＣＤ１９の画面を消去させる。なお、所定の時間を経過してもモニタ部３と通信が行われなかった場合、第三者に表示されているシステム情報を見られるのを防止するため、ＣＰＵ１０は、システム情報が表示されているＬＣＤ１９の画面を消去させる。
【００９３】
ステップＳＴ３８において、ベース部２のＣＰＵ１０は、無線ＬＡＮシステム情報設定プログラムに記述された命令に従い、フラッシュＲＯＭ１３に新たなシステム情報を保存させる。
【００９４】
ステップＳＴ３９において、モニタ部３のＣＰＵ３０は、無線ＬＡＮシステム情報設定プログラムに記述された命令に従い、フラッシュＲＯＭ３３に新たなシステム情報を保存させる。
【００９５】
このように、電波の到達範囲を限定することで、上述したユーザがモニタ部３にシステム情報を入力することができ、第２の実施形態による設定処理は第１の実施形態の設定処理の補填的な役割を果たし、より安全に無線ＬＡＮ通信システムの設定を行うことができる。
【００９６】
なお、本発明は上述した実施の形態のみに限定されるものではなく、本発明の要旨を逸脱しない範囲において種々の変更が可能であることは勿論である。
【図面の簡単な説明】
【００９７】
【図１】無線ＬＡＮシステムを示した概略図である。
【図２】第１の実施形態におけるベース部の構成を示すブロック図である。
【図３】第１の実施形態におけるモニタ部の構成を示すブロック図である。
【図４】第１の実施形態における無線ＬＡＮ通信部の構成を示すブロック図である。
【図５】第１の実施形態における無線ＬＡＮシステム情報設定処理手順を示すフロー図である。
【図６】第２の実施形態におけるベース部の構成を示すブロック図である。
【図７】第２の実施形態におけるモニタ部の構成を示すブロック図である。
【図８】第２の実施形態における無線ＬＡＮ通信部の構成を示すブロック図である。
【図９】第２の実施形態における無線ＬＡＮシステム情報設定処理手順を示すフロー図である。
【図１０】第２の実施形態における無線ＬＡＮシステム情報設定処理手順を示すフロー図である。
【符号の説明】
【００９８】
１  無線ＬＡＮシステム、２  ベース部、３  モニタ部、１０  ＣＰＵ、１１  ＲＯＭ、１２  ＲＡＭ、１３  フラッシュＲＯＭ、１４  無線ＬＡＮ通信部、１５  電源制御部、１６  電源キー、１７  設定キー、１８  キー状態検出部、１９  ＬＣＤ、２０  表示制御部、２１  バス、２２  アンテナ、２３  送信出力制御部、３０  ＣＰＵ、３１  ＲＯＭ、３２  ＲＡＭ、３３  フラッシュＲＯＭ、３４  無線ＬＡＮ通信部、３５  電源制御部、３６  電源キー、３７  ＬＣＤ、３８  表示制御部、３９  タッチパネル、４０  座標検出部、４１  バス、４２  アンテナ、４３  送信出力制御部